(57)【要約】      （修正有）【課題】オートマチックなゴルフ教学システムを提供する。【解決手段】おもにコンピューター接続コントロール第一本体１および第二本体２を含み、そのうち、その第一本体の中に三つの昇降機構、およびその昇降機関と接続する滑動機構を設置し、その滑動機構はそれぞれ定位ロッド５を設置して、その定位ロッドが第一本体から外に向かって伸び、その第二本体は一つの回転車輪を設置して、その回転車輪に一つの固定部品を設置して、その第一、第二本体を向かい合った位置で排列させて、学生が両本体の間に立って、コンピューターによって学生の身長、体重などのデータに従って、その定位ロッドの端の部分がそれぞれ学生の肩、腰、及び膝などの部位に張り付くようにコントロールして、クラブを第二本体の固定部品の上に置いて、その滑動機構が適当なアーチで移動するようにして、回転車輪を丸く回転させ、正確なスイングのレッスンを達成する。【選択図】図１
0003147444.tif 000002
【実用新案登録請求の範囲】
【請求項１】
オートマチックなゴルフ教学システムであって、
各種異なる基準のゴルフスイングのプロセスと姿勢を設定し、第一本体と第二本体とを接続して第一、第二本体を制御し、第一、第二本体の各機械構造がオートマチックに受講生に手本を示して、最も正確なスイング練習を行わせるためのコンピュータと、
３つの昇降機構と前記昇降機構と接続する滑動機構を設けた第一本体であって、前記滑動機構にはそれぞれプッシュバーと多数の位置決めバーを設けて、前記プッシュバーと位置決めバーを第一本体から外側に凸伸させたものと、
前固定部材を取り付けた回転車輪を設けた第二本体とからなり、
前記部材によって、前記第一、第二本体を対向位置に配列し、受講生を両本体間に立たせて、コンピュータによって受講生の身長、体重などのデータに基いて前記プッシュバーと位置決めバーの端部をそれぞれ受講生の頭部、肩部、腰部及び膝部等の部位に貼り付けると共に、ゴルフクラブを第二本体の固定部材上に置き、前記滑動部材機構に適度な弧度を描かせて移動させ、回転車輪を円弧状に回転させるよう制御することによって、正確なスイングの教学を行うことを特徴とするオートマチックなゴルフ教学システム。
【請求項２】
前記昇降機構に２つのラックに挟持された本体を設け、前記本体内にモーターを取り付け、前記モーターの回転軸は２つのギアに噛み合わさり、２つのギアを前記２つのラックに噛み合わせて、モーターの正回転、逆回転に連動することで前記２つのギアと連動して、本体を前記２つのラックに沿って昇降させることができることを特徴とする請求項１に記載するオートマチックなゴルフ教学システム。
【請求項３】
前記第一本体に設けたプッシュバーと位置決めバーは、その前端に気嚢を設け、気嚢にガスを充填してそれぞれ受講生の頭部、肩部、腰部及び膝部等の部位にぴったりと貼り付けることを特徴とする請求項１に記載するオートマチックなゴルフ教学システム。
【考案の詳細な説明】
【技術分野】
【０００１】
本実用新型は一種のオートマチックなゴルフ教学システムに関係し、特に一種の操作が簡単で、正確なレッスンの目的を達成することができるゴルフレッスン装置を指す。
【背景技術】
【０００２】
経済の繁栄によって、国民所得が上がり、近年、ゴルフはすでに贅沢ではなくなり、よく知られているように、ゴルフをうまくプレーするには、そのスイングの動作が非常に重要で、一般人がこの運動を学習するとき、練習場でスイング姿勢を練習する以外に、いつもコーチが脇に立って指導して、初めて比較的速く身につくが、ただコーチがレッスンする費用は比較的高く、毎回の練習で適したコーチを見つけられるとは限らないので、どうやって機械化した固定で正確なレッスン方式でゴルフ成績を向上するかは、この運動を愛する人の期待するところで、現在あるゴルフレッスン機は、おもに受身式でスイングの姿勢を矯正し、主動的に正確に学生をレッスンするものではないので、その学習する範囲と成果はかなり限られる。申請人はこれにかんがみて、この項目の業務に長年携わった経験から、絶えず研究、実験、改良して、ゴルフのレッスンがさらに便利で、そのレッスン効果がさらに向上することを願っている。
【考案の開示】
【考案が解決しようとする課題】
【０００３】
本実用新型の主要目的は、一種のオートマチックなゴルフ教学システムを提供して、練習時の操作が簡単で、正確なレッスンの目的を達成することができるゴルフレッスン装置だ。
【課題を解決するための手段】
【０００４】
前述のゴルフレッスン装置は、コンピューター接続コントロール第一本体および第二本体を含み、そのうち、その第一本体の中に三つの昇降機構、およびその昇降機関と接続する滑動機構を設置し、その滑動機構はそれぞれ定位ロッドを設置して、その定位ロッドが第一本体から外に向かって伸び、その第二本体は一つの回転車輪を設置して、その回転車輪に一つの固定部品を設置して、その第一、第二本体を向かい合った位置で排列させて、学生が両本体の間に立って、コンピューターによって学生の身長、体重などのデータに従って、その定位ロッドの端の部分がそれぞれ学生の肩、腰、及び膝などの部位に張り付くようにコントロールして、クラブを第二本体の固定部品の上に置いて、その滑動機構が適当なアーチで移動するようにして、回転車輪を丸く回転させ、正確なスイングのレッスンを達成する。
【０００５】
前述のゴルフレッスン装置、そのうちその第一本体内の昇降機構に、一つの機体を設置して、その機体の中に一つのモーターを設置して、モーターの回転軸を二つの歯車に接続し、二つの歯車が二つの歯棒に接続し、モーターの正、逆回転によって、機体を二つの歯棒に沿って昇降させる。
【０００６】
前述のゴルフレッスン装置、その中の滑動機構は昇降機構に接続して、それはアーチ状のロッドで、両端はそれぞれ箱で、箱にモーターを設置して、モーターの正、逆回転によって、箱を滑動機構にそって左、右に位置移動させる。
【０００７】
前述のゴルフレッスン装置、そのうち滑動機構の箱は、係設以交錯する穴をもったアーチ片で、定位ロッドがアーチ片に設けられた穴を貫き、自由に回転できる状態を構成して、各種角度の移動に有利なようにする。
【０００８】
前述のゴルフレッスン装置は、そのうち第二本体の回転車輪が、一モーターに接続し、その回転をリードし、その固定部品は柔らかいサンドイッチ体で、ゴルフクラブのクラブヘッドを挟む。
【考案の効果】
【０００９】
上に述べたように、本実用新型は多数の定位ロッドおよび回転車輪の本体を設置することで、コンピュータープログラムの設定と組み合わせて、主動式ゴルフレッスンシステムを構成して、スイング練習時の操作をさらに簡単にして、正確なレッスンの目的を達成する。
【考案を実施するための最良の形態】
【００１０】
同時に図１および図２を参考にして、図３、図４および図５、図６を組み合わせ、本実用新型は主に第一本体１および第二本体２を含み、そのうち、第一本体1上方に押し出しロッド１１を設置して、内部に三個の昇降機構３、およびその昇降機構3に接続する滑動機構４を設置して、その滑動機構４はそれぞれ定位ロッド５を設置して、その定位ロッド５が第一本体１から外に延び、第二本体２に回転車輪２１を設置して、その回転車輪２１に固定部品２２、およびコンピューター６を設置；
その昇降機構３は、両歯棒３１に挟まれた機体３２を設置して、その機体３２の中にモーター３３を設置して、モーター３３の回転軸３４が両歯車３５に接続し、両歯車３５が両歯棒３１に接続し、モーター３３の正、逆回転によって、両歯車３５を動かし、機体３２が両歯棒３１構成にそって昇降する；
その滑動機構４は、昇降機構３に接続し、それは一つのアーチ状ロッドで、両端はそれぞれ箱４１を設置し、箱４１にモーター４１１を設置し、モーター４１１の正、逆回転によって、箱４１が滑動機構４にそって左、右に位置移動して、その箱４１はそれぞれ交錯するアーチ片４２を設置して、そのアーチ片４２にそれぞれ穴４２１を設置して、その定位ロッド５が両アーチ片４２に設置した穴４２１を貫き、自由に回転する状態を構成して、各種角度の移動に便利なようにする；
その定位ロッド５は、その前の端にエアバッグ51を設置する；
第二本体２、その設置した回転車輪２１は、モーター２３に接続し、その回転をリードし、その固定部品２２は柔らかいサンドイッチ体で、クラブのクラブヘッドを挟む；
前に述べた部品の組み合わせによって、ゴルフレッスン機を構成し、第一、第二本体１、２を向かい合った位置に排列して、学生が第一、第二本体１、２の間に立って、コンピューター６によって学生の身長、体重などのデータに従って、その押し出しロッド１１および定位ロッド５の端の部分がそれぞれ学生の肩、腰、及び膝などの部位に張り付くようにコントロールして、クラブを第二本体２の固定部品２２の上に置いて、その滑動機構４が適当なアーチで移動するようにして、回転車輪２１が丸く回転するようにして、正確なスイングのレッスンを達成する。
【００１１】
同時に図７および図８を参考にして、図５および図６も組みあわせ、本実用新型を使用するとき、第一、第二本体１、２を向かい合った位置に配置して、学生が第一、第二本体１、２の間に立って、コンピューター6に設定した計算プログラムによって、入力した学生身長、体重などデータに従って、第一本体１の昇降機構３を駆動して、定位ロッド５の高度をコントロールして、押し出しロッド１１および定位ロッド５端部エアバッグ５１に空気を入れたあと（血圧計のエアバッグのように）、それぞれ学生の頭部、肩、腰および膝などに置いて、学生が持っているゴルフクラブ7を第二本体２の固定部品２２に置いて、位置を決めたあとコンピューター６の動作プログラムに従って、箱４１が滑動機構４にそって適当なアーチで位置移動するのをコントロールして、ここから定位ロッド５が学生の肩、腰および膝などの部位の動作をリードし、同時に、コンピューター６が第二本体２のモーター２３をリードして、回転車輪２１が回転して、さらにゴルフクラブ７をリードして、第一本体の体の部位を引っ張り、正確にスイングするレッスンを達成する。
【００１２】
第９図を参考にして、本実用新型を使用する過程の中で、第一本体１の定位ロッド５のリードによって、確実にスイング時の身体関連部位の正確な動作をコーチして、各定位ロッド５の移動はコンピューター６によってその速度をコントロールして定点学習でき、だんだんとスイングの姿勢を矯正して、ゴルフのスイング動作をさらに正確にし、さらにゴルフの成績をアップする。
【００１３】
上に述べたように、本実用新型は多数の定位ロッドおよび回転車輪の本体を設置することで、コンピュータープログラムの設定と組み合わせて、主動式ゴルフレッスンシステムを構成して、スイング練習時の操作をさらに簡単にして、正確なレッスンの目的を達成し、少なくとも以下の長所を持っている：
１．コンピューターにすでに異なるスイングスピードの最も正確なスイングリズムが保存されていて、設定できる。
【００１４】
２．使用者がその要求に基づいて、練習したい、必要なスイングスピードを設定すると、機械は主動的に使用者の頭、両肩、腰、両膝および腕の反復性練習をリードして、反復性練習の中で、筋肉が記憶するのはすべて固定して正確なスイング動作である。
【００１５】
３．一般市販の練習器材は使用者が自分で練習して、その毎回のスイングのスピード、角度、姿勢が、不正確なだけではなく、一致性が高くなく、筋肉の記憶があいまいで、安定性が高くない欠点を改善した。
【００１６】
４．本実用新型の主動式標準ゴルフスイング動作筋肉記憶訓練は、初心者に適しているだけでなく、初心者が学習を始めるとき、筋肉が最も標準的なスイング動作を記憶する。
【００１７】
その他、本実用新型はプロ選手にさえ利用でき、プロ選手のスイング動作が局部が流れることによって、スイング効果に影響するとき、プロ選手は本発明の反復練習によって、標準的なスイング動作を取り戻せる。
【図面の簡単な説明】
【００１８】
【図１】図１は本実用新型立体図。
【図２】図２は本実用新型昇降機構および振動機構立体図。
【図３】図３は本実用新型昇降機構および振動機構立体図。
【図４】図４は本実用新型定位ロッド機構図。
【図５】図５は本実用新型第一本体組み立て後構造図。
【図６】図６は本実用新型第二本体組み立て後構造図。
【図７】図７は本実用新型使用実施例図。
【図８】図８は本実用新型使用実施例図。
【図９】図９は本実用新型もう一つの使用実施例図。
【符号の説明】
【００１９】
１      第一本体
２      第二本体
２１    回転車輪
２２    固定部品
２３    モーター
３      昇降機構
３１    歯棒
３２    機体
３３    モーター
３４    回転軸
３５    歯車
４      滑動機構
３６    モーター
４      滑動機構
４１    箱
４１１  モーター
４２    アーチ片
４２１  穴
５      定位ロッド
５１    エアバッグ
６      コンピューター
７      ゴルフクラブ
１１    押し出しロッド
【図１】
0003147444.tif 000003
【図２】
0003147444.tif 000004
【図３】
0003147444.tif 000005
【図４】
0003147444.tif 000006
【図５】
0003147444.tif 000007
【図６】
0003147444.tif 000008
【図７】
0003147444.tif 000009
【図８】
0003147444.tif 000010
【図９】
0003147444.tif 000011